(57)【要約】【課題】排泄された便が着用者の肌と直接接触し難く、かつ、尿や便がスキンコンタクトシート上に留まることを有効に防止し得る使い捨ておむつを提供する。【解決手段】吸収体２２と、トップシート１８と、バックシート２０とを備え、トップシート１８の上部に配置されるスキンコンタクトシート（ＳＣＳ）２４を更に備え、ＳＣＳ２４が、股下部４に相当する部分に、便通過用開口部２６ｂ及び尿通過用開口部２６ａを有し、２つの開口部２６に挟まれた幅方向に伸びる帯状の領域（開口部間領域）２９を開口部間の長さの半分の長さだけ前後に延長した領域（ＳＣＳ中央領域）３０、ＳＣＳ中央領域３０より腹側に位置するＳＣＳ腹側領域３２及び背側に位置するＳＣＳ背側領域３４から構成され、ＳＣＳ中央領域３０における幅方向の伸縮力が、ＳＣＳ腹側領域３２及びＳＣＳ背側領域３４の幅方向の伸縮力より大きい使い捨ておむつ１。【選択図】図２
2007105298.tif 000002
【特許請求の範囲】
【請求項１】
吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、
前記トップシートの上部に配置されるスキンコンタクトシート（ＳＣＳ）を更に備え、
前記スキンコンタクトシートが、前記股下部に相当する部分に、便を通過させ得る便通過用開口部及び尿を通過させ得る尿通過用開口部を有するとともに、
前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、
前記ＳＣＳ中央領域における幅方向の伸縮力が、前記ＳＣＳ腹側領域及び前記ＳＣＳ背側領域のそれぞれにおける幅方向の伸縮力より大きい使い捨ておむつ。
【請求項２】
前記ＳＣＳ中央領域における幅方向の伸縮力が、前記ＳＣＳ腹側領域及び前記ＳＣＳ背側領域のそれぞれにおける幅方向の伸縮力の１．１〜５倍である請求項１に記載の使い捨ておむつ。
【請求項３】
吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、
前記トップシートの上部に配置されるスキンコンタクトシート（ＳＣＳ）を更に備え、
前記スキンコンタクトシートが、前記股下部に相当する部分に、便を通過させ得る便通過用開口部及び尿を通過させ得る尿通過用開口部を有するとともに、
前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、
前記スキンコンタクトシートに、伸縮弾性材が配設され、
前記伸縮弾性材の、前記ＳＣＳ中央領域における幅方向成分（長さ）の合計をＳＣＳ中央領域の長手方向長さで除した値が、前記ＳＣＳ腹側領域における幅方向成分（長さ）の合計をＳＣＳ腹側領域の長手方向長さで除した値より大きく、かつ、前記ＳＣＳ背側領域における幅方向成分（長さ）の合計をＳＣＳ背側領域の長手方向長さで除した値より大きい使い捨ておむつ。
【請求項４】
前記スキンコンタクトシートが、前記ＳＣＳ中央領域において交差するとともに、前記ＳＣＳ腹側領域及び前記ＳＣＳ背側領域のそれぞれにおいて前記開口部を挟んで長手方向に伸びる、２本の伸縮弾性材を有する請求項３に記載の使い捨ておむつ。
【発明の詳細な説明】
【技術分野】
【０００１】
本発明は、トップシート、バックシート及び吸収体を備え、トップシートの上部にスキンコンタクトシートが配置された使い捨ておむつに関するものである。
【背景技術】
【０００２】
近年、乳幼児用、或いは高齢者・障害者用のおむつとして、吸収体と、吸収体の上面を被覆するように配置され、少なくとも一部が液透過性材料からなるトップシートと、吸収体の下面を被覆するように配置され、液不透過性材料からなるバックシートとを備えた使い捨ておむつが汎用されている。この使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるというものである。
【０００３】
しかしながら、前記のような構成の使い捨ておむつでは、尿についてはトップシートを透過するものの、便についてはその殆どがトップシートを透過せず、トップシート上に残存することになる。トップシート上に残存した便は、着用者の股下部や臀部に付着するため、煩瑣な払拭作業が必要となり、育児負担や介護負担を増大させる原因となる他、着用者のスキントラブルの原因ともなっていた。このような問題は、着用者の排泄した便が軟便であった場合等には、一層顕在化することになる。
【０００４】
そこでトップシートの上部に更にもう１枚のシート体（本明細書では、「スキンコンタクトシート」と称することにする）が配置された使い捨ておむつが提案されている（例えば、特許文献１及び２参照）。これらの使い捨ておむつでは、スキンコンタクトシートに便を通過させ得る開口部（便通過用開口部）が形成されており、その便通過用開口部を通過して着用者の排泄した便がトップシート上に落下するように構成されている。
【０００５】
【特許文献１】実用新案登録第２５５９０５０号公報（段落００１０、図２）
【特許文献２】特開２００２−１１０４４号公報（段落００２０、図１）
【発明の開示】
【発明が解決しようとする課題】
【０００６】
前記のような使い捨ておむつでは、着用者の肌には、まずスキンコンタクトシートが接触するため、スキンコンタクトシートの下部に配置されるトップシートは着用者の肌と直接接触し難くなる。即ち、着用者の肌とトップシートとが離隔されることになる。また、トップシートと着用者の肌との間にスキンコンタクトシートという遮蔽層が介在していることにもなる。従って、たとえトップシート上に便が残存していたとしても、その便と着用者の肌とが直接接触する機会を大幅に減少させる効果を期待することができる。
【０００７】
しかしながら、開口部が形成されたスキンコンタクトシート、特に２つの開口部（便通過用開口部及び尿通過用開口部）が形成されたスキンコンタクトシートを備えた使い捨ておむつは、便や尿がその開口部を通過せずに、スキンコンタクトシート上に留まってしまうという問題があった。これは、スキンコンタクトシートの２つの開口部の間が弛むことにより、スキンコンタクトシートが着用者の身体に密着しない状態となり、開口部の位置が定まらず、便や尿が開口部からはずれた位置に排泄されて、スキンコンタクトシート上に落下するためである。即ち、尿や便を、確実に開口部を通過させてトップシート上に落下させるという点においては、十分に満足できるものではなく、未だ解決すべき課題を残すものであった。
【０００８】
このように、現在のところ、排泄された便が着用者の肌と直接接触し難く、かつ、尿や便がスキンコンタクトシートの開口部を確実に通過してトップシート上に落下し得る使い捨ておむつは開示されておらず、そのような使い捨ておむつが切望されている。本発明は、このような従来技術の課題を解決するためになされたものであって、排泄された便が着用者の肌と直接接触し難く、かつ、尿や便がスキンコンタクトシート上に留まることを有効に防止し得る使い捨ておむつを提供するものである。
【課題を解決するための手段】
【０００９】
本発明により、以下の使い捨ておむつが提供される。
【００１０】
［１］  吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、前記トップシートの上部に配置されるスキンコンタクトシート（ＳＣＳ）を更に備え、前記スキンコンタクトシートが、前記股下部に相当する部分に、便を通過させ得る便通過用開口部及び尿を通過させ得る尿通過用開口部を有するとともに、前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、前記ＳＣＳ中央領域における幅方向の伸縮力が、前記ＳＣＳ腹側領域及び前記ＳＣＳ背側領域のそれぞれにおける幅方向の伸縮力より大きい使い捨ておむつ（第１の態様）。
【００１１】
［２］  前記ＳＣＳ中央領域における幅方向の伸縮力が、前記ＳＣＳ腹側領域及び前記ＳＣＳ背側領域のそれぞれにおける幅方向の伸縮力の１．１〜５倍である［１］に記載の使い捨ておむつ。
【００１２】
［３］  吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、前記トップシートの上部に配置されるスキンコンタクトシート（ＳＣＳ）を更に備え、前記スキンコンタクトシートが、前記股下部に相当する部分に、便を通過させ得る便通過用開口部及び尿を通過させ得る尿通過用開口部を有するとともに、前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、前記スキンコンタクトシートに、伸縮弾性材が配設され、前記伸縮弾性材の、前記ＳＣＳ中央領域における幅方向成分（長さ）の合計をＳＣＳ中央領域の長手方向長さで除した値が、前記ＳＣＳ腹側領域における幅方向成分（長さ）の合計をＳＣＳ腹側領域の長手方向長さで除した値より大きく、かつ、前記ＳＣＳ背側領域における幅方向成分（長さ）の合計をＳＣＳ背側領域の長手方向長さで除した値より大きい使い捨ておむつ（第２の態様）。
【００１３】
［４］  前記スキンコンタクトシートが、前記ＳＣＳ中央領域において交差するとともに、前記ＳＣＳ腹側領域及び前記ＳＣＳ背側領域のそれぞれにおいて前記開口部を挟んで長手方向に伸びる、２本の伸縮弾性材を有する［３］に記載の使い捨ておむつ。
【発明の効果】
【００１４】
本発明（第１の態様及び第２の態様）の使い捨ておむつは、排泄された便が着用者の肌と直接接触し難く、かつ、尿や便がスキンコンタクトシート上に留まることを有効に防止し得るものである。即ち、本発明の使い捨ておむつは、２つの開口部を形成したスキンコンタクトシートを設置した場合の問題点を回避し、２つの開口部を形成したことによる効果を確実に発揮し得るという優れた効果を奏するものである。
【発明を実施するための最良の形態】
【００１５】
以下、本発明（第１の態様及び第２の態様）の使い捨ておむつを実施するための最良の形態について、２ピースタイプのパンツ型おむつを例として具体的に説明する。但し、本発明はその発明特定事項を備える使い捨ておむつを広く包含するものであり、以下の実施形態に限定されるものではない。なお、図３については、作図の都合上、図面から脚周り伸縮材を捨象した形で作図を行った。
【００１６】
なお、本明細書において「パンツ型おむつ」というときは、図１〜図３に示す使い捨ておむつ１のように、前身頃２と後身頃６の対応する側縁部同士（側縁部２ａ，６ａ、側縁部２ｂ，６ｂ）を接合することによって、接合部８、一つのウエスト周り開口部１０及び一対の脚周り開口部１２ａ，１２ｂが形成され、予めパンツ型に構成されたおむつを意味するものとする。そして、「２ピースタイプ」とは、着用者の排泄物を吸収し、保持する機能（吸収・保持機能）を担う吸収性本体１４と、着用者の身体を被包する機能（装着機能）を担う外装部材１６とから構成され、外装部材１６の内側に吸収性本体１４が配置されたタイプのおむつを意味するものとする。図３に示すように、吸収性本体１４は吸収体２２、トップシート１８及びバックシート２０を構成要素として備えた部材である。
【００１７】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００１８】
（Ｉ：本発明の第１の態様）
［１］本発明の使い捨ておむつの構成：
本発明の使い捨ておむつは、図１〜図３に示す使い捨ておむつ１のように、吸収体２２と、吸収体２２の上面を被覆するように配置され、少なくとも一部が液透過性材料からなるトップシート１８と、吸収体２２の下面を被覆するように配置され、液不透過性材料からなるバックシート２０とを備え、前身頃２、股下部４及び後身頃６から構成された使い捨ておむつ１であり、トップシート１８の上部に配置されるスキンコンタクトシート（ＳＣＳ）２４を更に備えたものである。そして、スキンコンタクトシート２４は、図２及び図４に示すように、股下部４に相当する部分に、尿を通過させ得る尿通過用開口部２６ａ及び便を通過させ得る便通過用開口部２６ｂを有する。スキンコンタクトシート２４は、２つの開口部２６（２６ａ，２６ｂ）に挟まれた幅方向に伸びる帯状の領域（開口部間領域）２９を開口部間の長さ（距離）の半分の長さだけ前後に延長した領域（スキンコンタクトシート中央領域（ＳＣＳ中央領域））３０、前記ＳＣＳ中央領域より腹側に位置するスキンコンタクトシート腹側領域（ＳＣＳ腹側領域）、及び背側に位置するスキンコンタクトシート背側領域（ＳＣＳ背側領域）から構成され、前記ＳＣＳ中央領域における幅方向の伸縮力が、前記ＳＣＳ腹側領域及び前記ＳＣＳ背側領域のそれぞれにおける幅方向の伸縮力より大きいものである。ここで、スキンコンタクトシートの股下部に相当する部分は、尿が体を伝って便通過用開口部や背側に流れないようにするために、体に密着することが好ましい。そのために、２つの開口部間を体に密着させる方法として、使い捨ておむつを着用者が装着したときに、開口部間が吊り上がるように力を与える方法が考えられる。それは、開口部間の左右または前後または両方から幅方向に張力すなわち伸縮力を与えることで達成できる。そのため、開口部間に与えられる張力を測定する場合、２つの開口部２６（２６ａ，２６ｂ）に挟まれた幅方向に伸びる帯状の領域（開口部間領域）２９を開口部間の長さ（距離）２９ａの半分の長さだけ前後に延長した領域（ＳＣＳ中央領域）３０を定義し、そのＳＣＳ中央領域における幅方向の伸縮力を測定することとした。開口部間領域２９を前後に延長した領域とは、開口部間領域２９の幅方向長さを一定にして、前身頃方向（おむつの前側方向）と後身頃方向（おむつの前側方向）とに、それぞれ所定の長さだけ長手方向長さを伸ばして形成される領域をいう。ＳＣＳ中央領域３０の長手方向長さＬ１は開口部間の距離２９ａの２倍となり、ＳＣＳ中央領域３０の長手方向の中央部と開口部間領域２９の長手方向の中央部は一致する。また、２つの開口部２６は、スキンコンタクトシート２４の長手方向に並ぶように形成され、尿通過用開口部２６ａは、着用者におむつを装着した際に、着用者の腹側（前側）に位置する開口部であり、便通過用開口部２６ｂは、着用者の背側（後側）に位置する開口部である。また、長手方向とは、使い捨ておむつを着用者に装着したときの前後方向であり、幅方向とは、使い捨ておむつを着用者に装着したときの左右方向である。
【００１９】
このように、スキンコンタクトシート２４の、ＳＣＳ中央領域３０における幅方向の伸縮力が、ＳＣＳ腹側領域３２における幅方向の伸縮力より大きく、かつ、ＳＣＳ背側領域３４における幅方向の伸縮力より大きいため、使い捨ておむつ１を着用者に装着したときにスキンコンタクトシート２４の２つの開口部２６（尿通過用開口部２６ａと便通過用開口部２６ｂ）の間に位置するＳＣＳ中央領域３０がハンモック状に吊り上げられて弛むことなく着用者に密着するので、尿や便が開口部を確実に通過してトップシート上に落下し、尿や便がスキンコンタクトシート上に留まることを有効に防止することが可能となる。ここで、伸縮力とは、ある幅のスキンコンタクトシートをその幅に対して垂直方向に伸ばしたときに、伸びきるために必要な力を、その幅で除した値（ｇ／ｃｍ）をいう。ここで、「ある幅」とは、スキンコンタクトシートの幅方向の幅であっても長手方向の幅であってもよい。従って、上記「ある幅」が、スキンコンタクトシート幅方向の幅である場合には伸ばす方向はスキンコンタクトシート長手方向であり、「ある幅」が、スキンコンタクトシート長手方向の幅である場合には伸ばす方向はスキンコンタクトシート幅方向である。「ある幅」の長さも特に限定されず、測定したい領域と伸ばす方向を特定すれば、その領域における伸ばす方向に対して垂直方向の長さとなる。また、「スキンコンタクトシートが伸びきる」とは、スキンコンタクトシートが収縮した状態から、スキンコンタクトシートを伸ばして、そのシート材（不織布等）の、もとの形状（長さ）に戻った状態をいう。従って、シート材をもとの形状より大きくするように更に伸ばすような状態は含まない。伸縮力は、引っ張り試験機により測定し、収縮した状態のスキンコンタクトシートが伸びきった状態の強度を測定する。引っ張り試験機としては、東洋精機製作所社製、商品名：ストログラフ、又は、オリエンテック社製、商品名：テンシロンを使用することができる。そして、シートが伸びきって不織布の強度が現れる前の強度とする。伸縮力を測定する場合には、測定する領域を切り取って測定用のサンプルとし、上記「ある幅」に対して垂直方向に伸ばして伸縮力を測定する。
【００２０】
［１−１］スキンコンタクトシート：
スキンコンタクトシートは、着用者の肌とトップシートとを離隔するための部材であり、トップシートの上部に配置される。このスキンコンタクトシートを備えることによって、着用者の肌には、まずスキンコンタクトシートが接触するため、スキンコンタクトシートの下部に配置されるトップシートは着用者の肌と直接接触し難くなる。即ち、着用者の肌とトップシートとが離隔されることになる。また、トップシートと着用者の肌との間にスキンコンタクトシートという遮蔽層が介在していることにもなる。従って、たとえトップシート上に便が残存していたとしても、その便と着用者の肌とが直接接触する機会を大幅に減少させる効果を奏する。
【００２１】
スキンコンタクトシートを構成する材料としては、例えば、ポリエチレン、ポリプロピレン、ポリエステル等の樹脂からなる不織布、メッシュシート、フィルム等を用いることができる。中でも、肌触りが良好である点において、不織布を用いることが好ましい。これらの材料は、液透過性であっても、液不透過性であっても、撥水性であってもよい。但し、長時間着用した際にもさらっとした触感（ドライ性）を維持することができるという点において、撥水性の材料（撥水性の不織布等）であることが好ましい。
【００２２】
スキンコンタクトシート２４は、着用者の排泄した尿及び便を通過させるため、図２に示すように、２つの開口部２６（尿通過用開口部２６ａ及び便通過用開口部２６ｂ）が形成されている。このような構造とすることによって、着用者の排泄した尿が尿通過用開口部２６ａを通過し、便が便通過用開口部２６ｂを通過して、それぞれトップシート上に落下することになり、尿及び便と着用者の肌とが直接接触する機会を大幅に減少させることが可能となる。
【００２３】
開口部２６は便を通過させ得る形状である限り、その形状について特に制限はない。即ち、便を通過させ得る「開口部」には、円形開口部、楕円形開口部、菱形開口部等のいわゆる開口部（孔）の他、十字状スリット、３本以上のスリットを交差させた星型スリット等のスリットも含まれ、孔とスリットとの組み合わせであってもよい。中でも、おむつの前後方向（長手方向）を長軸方向とする楕円形開口部、或いは星型スリットが好ましい。楕円形開口部には、便がスキンコンタクトシートの開口部を通過し易いという利点があり、星型スリットには、一旦、スキンコンタクトシートの開口部を通過してトップシート上に落下した便が、再びスキンコンタクトシートの開口部から露出し、着用者の臀部を汚してしまうことを有効に防止することができるという利点がある。例えば、図２に示す使い捨ておむつ１は、スキンコンタクトシート２４のおむつの股下部４に相当する部分に、尿通過用開口部２６ａ及び便通過用開口部２６ｂとして、おむつの前後方向を長軸方向とする楕円形開口部を形成した例である。尿通過用開口部２６ａ及び便通過用開口部２６ｂは、いずれもスキンコンタクトシート２４の幅方向中央に位置することが好ましい。また、尿通過用開口部２６ａ及び便通過用開口部２６ｂの、それぞれのスキンコンタクトシート２４の長手方向における配置としては、尿通過用開口部２６ａが尿を通過させ得る位置、便通過用開口部２６ｂが便を通過させ得る位置であれば特に限定されるものではない。尿通過用開口部２６ａの大きさは、尿を通過させ得る大きさであれば特に限定されず、便通過用開口部２６ｂの大きさは、便を通過させ得る大きさであれば特に限定されない。例えば、乳幼児用のＬサイズ（長手方向長さ４２０ｍｍ程度）であれば、尿通過用開口部２６ａ及び便通過用開口部２６ｂのいずれにおいても、スキンコンタクトシート２４の長手方向長さについては、５０〜１５０ｍｍが好ましく、幅方向長さについては、１〜１００ｍｍが好ましい。
【００２４】
上述したように、本発明において、スキンコンタクトシート２４の、ＳＣＳ中央領域３０における幅方向の伸縮力（中央領域伸縮力）は、ＳＣＳ腹側領域３２における幅方向の伸縮力（腹側領域伸縮力）より大きく、かつ、ＳＣＳ背側領域３４における幅方向の伸縮力（背側領域伸縮力）より大きい。そして、ＳＣＳ中央領域の幅方向の伸縮力は、ＳＣＳ腹側領域の幅方向の伸縮力及びＳＣＳ背側領域の幅方向の伸縮力のいずれの伸縮力に対しても、１．１〜５倍であることが好ましく、１．５〜３倍であることが更に好ましい。ＳＣＳ中央領域の伸縮力をこのような範囲とすることにより、更に着用者の身体との密着性を向上させることが可能となる。また、ＳＣＳ中央領域の幅方向の伸縮力は、２〜２０（ｇ／ｃｍ）が好ましく、５〜１０（ｇ／ｃｍ）が更に好ましい。このような範囲とすることにより、スキンコンタクトシートが着用者に適度に密着するようになる。
【００２５】
ＳＣＳ中央領域３０、ＳＣＳ腹側領域３２、及びＳＣＳ背側領域３４のそれぞれの伸縮力を測定する場合には、スキンコンタクトシート２４から測定する領域を切り取って測定用サンプルとし、幅方向（スキンコンタクトシートの幅方向に相当する方向）両端部を掴んで、幅方向に伸ばすことにより伸縮力（幅方向）を測定する。スキンコンタクトシートには開口部が形成されているため、いずれのサンプルも長方形ではないが、各端部の全体を（各端部の長手方向の全体に渡って）掴んで伸ばせばよい。
【００２６】
本実施形態では、スキンコンタクトシート２４をこのように形成するために、図２に示すように、伸縮弾性材を特定の位置に配置している。つまり、本実施形態においては、ＳＣＳ中央領域の伸縮力を大きくするために、スキンコンタクトシート２４に、ＳＣＳ中央領域３０において交差するとともに、ＳＣＳ腹側領域３２及びＳＣＳ背側領域３４のそれぞれにおいて開口部２６を挟んで長手方向に伸びる、２本の伸縮弾性材（開口部伸縮材）２８を配置している。すなわち、一方の開口部伸縮材２８ａが、ＳＣＳ腹側領域３２においては、尿通過用開口部２６ａとＳＣＳ側縁部３６ａ（スキンコンタクトシート２４の一方の側縁部）との間を長手方向に伸びるように配置され、ＳＣＳ中央領域３０においては、尿通過用開口部２６ａと便通過用開口部２６ｂとの間をＳＣＳ側縁部３６ａ側からＳＣＳ側縁部３６ｂ（スキンコンタクトシート２４の他方の側縁部）側に横切るように配置され、ＳＣＳ背側領域３４においては、便通過用開口部２６ｂとＳＣＳ側縁部３６ｂとの間を長手方向に伸びるように配置されている。そして、他方の開口部伸縮材２８ｂが、スキンコンタクトシート２４の長手方向に伸びる中央線（幅方向中央の位置を長手方向に伸びる線）（図示せず）を対称軸として、開口部伸縮材２８ａに対して線対称の位置に配置されている。本実施形態においては、開口部伸縮材２８ａ及び開口部伸縮材２８ｂは、それぞれ１本ずつであるが、いずれも２本ずつ以上有してもよい。
【００２７】
図４は、本実施形態の使い捨ておむつに使用されるスキンコンタクトシートを模式的に示した平面図である。上述のように、本実施形態で使用されるスキンコンタクトシートは、２本の開口部伸縮材２８ａ、２８ｂをＳＣＳ中央領域３０で、すなわち、２つの開口部２６ａ、２６ｂの間において交点Ｐ１で交差させることにより、ＳＣＳ中央領域３０の幅方向伸縮力を大きくしている。これは、開口部伸縮材２８ａ、２８ｂをＳＣＳ中央領域３０で交差させることにより、ＳＣＳ中央領域３０における開口部伸縮材２８ａ、２８ｂの幅方向成分（長さ）を大きくし、それにより幅方向の伸縮力を大きくしたものである。このように形成することにより、ＳＣＳ中央領域３０の幅方向伸縮力をＳＣＳ腹側領域３２の幅方向伸縮力及びＳＣＳ背側領域３４の幅方向伸縮力のいずれよりも大きくすることが可能となる。
【００２８】
スキンコンタクトシートを備えた使い捨ておむつは、スキンコンタクトシートが着用者の身体に密着するほど、便や尿をその開口部を通過させやすくなり、上記便と着用者の肌との接触機会を減少させる効果を発揮しやすくなる。しかし、スキンコンタクトシートと着用者の身体との密着性がよいほど、汗等によりスキンコンタクトシートと着用者の肌との間が蒸れやすい状態となるため、スキントラブルを起こしやすくなる。このような状況を解消するため、本発明の使い捨ておむつに使用するスキンコンタクトシートは、図４に示すように、スキンコンタクトシート２４の、２つの開口部２６のそれぞれの、長手方向外側に位置する領域（開口部外側領域）５１（５１ａ，５１ｂ）が幅方向及び長手方向の伸縮力を有さない領域であることが好ましい。このように、スキンコンタクトシート２４の、両開口部外側領域５１（５１ａ，５１ｂ）が幅方向及び長手方向の伸縮力を有さない領域とすることにより、伸縮力を有さない領域においてはスキンコンタクトシートが着用者の肌に密着せず、通気性を良くすることが可能となり、スキントラブルを抑制することが可能となる。この場合、スキンコンタクトシートの身体への密着性を維持するために、少なくともＳＣＳ中央領域は幅方向の伸縮力を有する必要がある。
【００２９】
図２、図４に示すように、２つの開口部外側領域５１ａ，５１ｂを、長手方向及び幅方向の伸縮力を有さない領域とし、ＳＣＳ中央領域３０を幅方向の伸縮力を有する領域とするために、２つの開口部外側領域５１ａ，５１ｂには開口部伸縮材を配設せず、ＳＣＳ中央領域３０に開口部伸縮材２８（２８ａ，２８ｂ）を幅方向成分を有するように配設することが好ましい。開口部伸縮材２８（２８ａ，２８ｂ）は、スキンコンタクトシート２４のＳＣＳ中央領域３０において、尿通過用開口部２６ａと便通過用開口部２６ｂに沿い、ＳＣＳ腹側領域３２及びＳＣＳ背側領域３４において長手方向に伸びるように配設されてることが好ましい。開口部伸縮材２８は、尿通過用開口部２６ａと便通過用開口部２６ｂとの間に交点Ｐ１を形成している。このように、開口部伸縮材として、線状の伸縮弾性材を使用することが好ましいが、スキンコンタクトシートを構成するシート材自体を弾性を有する構造としてもよい。
【００３０】
また、本発明において、図４に示す、スキンコンタクトシート２４の幅方向両端部に沿って長手方向に帯状に伸びる２つの領域（ＳＣＳ側縁領域）５０（５０ａ，５０ｂ）が、幅方向及び長手方向の伸縮力を有さない領域であることが好ましい。これにより、通気性をより向上させることが可能となり、スキントラブルを更に抑制することが可能となる。そして、伸縮力を有さない、ＳＣＳ側縁領域５０の幅方向長さは、片側あたり、スキンコンタクトシート全体の幅（スキンコンタクトシートの幅方向長さ）の、２．５〜２５％であることが好ましく、５〜１０％であることが更に好ましい。すなわち両側縁を合わせると５〜５０％であることが好ましく、１０〜２０％であることが更に好ましい。ＳＣＳ側縁領域をこのような範囲とすることにより、更に着用者の身体との密着性と、スキントラブル防止とのバランスをより良好に維持することが可能となる。
【００３１】
開口部伸縮材の配置パターンとしては、上記パターンが好ましいが、ＳＣＳ中央領域の幅方向伸縮力を、ＳＣＳ腹側領域の幅方向伸縮力及びＳＣＳ背側領域の幅方向伸縮力のいずれよりもより大きくすることが可能であれば、特に制限はない。例えば、図５に示すスキンコンタクトシート２４のように、２つの開口部（尿通過用開口部２６ａと便通過用開口部２６ｂ）の間に開口部伸縮材が存在しない領域３１が形成されてもよい。このような開口部伸縮材が存在しない領域３１は、４本の開口部伸縮材を、２つの開口部（尿通過用開口部２６ａと便通過用開口部２６ｂ）の間で連結されないようにそれぞれ配設して形成してもよいし、図４のように２本の開口部伸縮材を配設した後に、交点Ｐ１の部分で切断してスナップバックすることにより形成してもよい。これにより、着用者が装着したときに股下部の擦れ等によるスキントラブルを解消することが可能となる。
【００３２】
また、例えば、図６に示すスキンコンタクトシート２４のように、更に、幅方向に伸びる２本の開口部伸縮材２８（２８ｇ、２８ｈ）を、上記図５に示すスキンコンタクトシート２４に形成された、開口部伸縮材を有さない領域３１の幅方向両側に１本ずつ配設してもよい。開口部伸縮材の本数は１本ずつに限定されず何本ずつでもよい。この開口部伸縮材は、２つの開口部（尿通過用開口部２６ａと便通過用開口部２６ｂ）の間の中央線に沿うように配設することが好ましい。
【００３３】
また、例えば、図７に示すスキンコンタクトシート２４のように、２本の開口部伸縮材２８（２８ｉ，２８ｊ）を交差させずに、２本の開口部伸縮材２８（２８ｉ，２８ｊ）で、２つの開口部（尿通過用開口部２６ａと便通過用開口部２６ｂ）を、その両側縁部側から挟むように配設してもよい。このとき、ＳＣＳ中央領域３０の幅方向の伸縮力を大きくするために、２本の開口部伸縮材２８（２８ｉ，２８ｊ）をＳＣＳ中央領域３０でそれぞれ幅方向中央部側（互いに近寄る方向）に湾曲させて配設することが好ましい。また、この場合も、更に、幅方向に伸びる２本の開口部伸縮材２８（２８ｇ、２８ｈ）を、上記湾曲させた箇所の幅方向両外側の位置に配設してもよい。この場合も開口部伸縮材の本数は１本ずつに限定されず何本ずつでもよい。
【００３４】
また、開口部伸縮材を上述のようにおむつ長手方向に伸びるように配置すると、開口部伸縮材が連続的に配置されるため、使い捨ておむつの連続的な製造が容易になるという利点があり好ましい。
【００３５】
上述のように開口部伸縮材を配置すると、スキンコンタクトシートに張力がかかるので、スキンコンタクトシート全体にコシを持たせることができる。従って、スキンコンタクトシートがへたってトップシート側に落ち込む事態を防止することができ、スキンコンタクトシートを着用者の肌に接触し易くさせるという利点がある。また、開口部伸縮材を配置すると、スキンコンタクトシートを収縮させ、トップシート、吸収体、バックシートは下側（外装部材側）に向かって撓ませる力を作用させることができる。従って、スキンコンタクトシートをトップシートから浮かせた状態を維持することができ、スキンコンタクトシートとトップシートとを確実に離隔させることが可能となる。
【００３６】
開口部伸縮材としては、従来の使い捨ておむつで使用されてきた伸縮材を好適に用いることができる。具体的には、天然ゴム、合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００３７】
開口部伸縮材は、開口部に沿って配置されるため、開口部の周囲において長手方向の収縮力が発生する。長手方向の収縮力としては、ＳＣＳ背側領域又はＳＣＳ腹側領域において、開口部と片側の側縁部との間に配置される開口部伸縮材によって生じる長手方向の収縮力が、１０〜１００（ｇｆ）であることが好ましく、２０〜８０（ｇｆ）であることが更に好ましい。例えば、図４において、ＳＣＳ背側領域３４においては、開口部伸縮材２８ａによる長手方向の伸縮力が上記範囲であることが好ましく、開口部伸縮材２８ｂによる長手方向の伸縮力が上記範囲であることが好ましい。この場合、各開口部伸縮材において、ＳＣＳ中央領域３０に位置する部分は含まない。更には、開口部伸縮材２８ａ、２８ｂによる上記所定の領域（ＳＣＳ背側領域又はＳＣＳ腹側領域）における長手方向の伸縮力が、いずれも上記範囲であることが好ましい。このような範囲とすることにより、スキンコンタクトシートに適度な伸縮力を与えることが可能となる。例えば、天然ゴムを使用した場合には、厚さ０．２〜０．２５ｍｍ、幅１．６〜２．４ｍｍの寸法のものを、１本で１５０〜３００％（自然長の１．５〜３倍）に延伸して固定することが好ましい。また、ウレタン製ゴムを使用した場合には、６２０Ｄｔｅｘ前後の太さの糸ゴムを２〜３本用い、２００〜３００％に延伸して並行に配置することが好ましい。
【００３８】
前記のような開口部伸縮材は、スキンコンタクトシートに対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００３９】
開口部伸縮材は、スキンコンタクトシートに十分な伸縮力を作用させるため、延伸した状態、すなわち伸長状態で固定することが好ましい。例えば、開口部伸縮材が天然ゴムや合成ゴムである場合には、１００〜４００％の伸長状態で固定することが好ましく、２００〜３００％の伸長状態で固定することがより好ましい。また、材質が天然ゴムの場合は、上述のように１５０〜３００％に延伸して固定することが好ましい。このような範囲の伸長状態で固定することにより、スキンコンタクトシート、特にＳＣＳ中央領域に十分な伸縮力を作用させ、かつ、ＳＣＳ中央領域が必要以上に縮小されるのを防止することができる。また、ＳＣＳ中央領域に配設される開口部伸縮材の伸長率を、ＳＣＳ腹側領域やＳＣＳ背側領域より大きくして、ＳＣＳ中央領域における伸縮力を大きくすることも可能である。例えば、ＳＣＳ中央領域に配設される開口部伸縮材の伸長率を、２５０〜３００％とし、ＳＣＳ腹側領域及びＳＣＳ背側領域のにおける伸長率を２００〜２５０％とすることができる。
【００４０】
開口部伸縮材の配置方法は特に限定されないが、例えば、図１〜図３に示す使い捨ておむつ１のように、スキンコンタクトシート２４を２枚のシート材（アッパーシート２４ａ、ライナーシート２４ｂ）を貼り合わせることにより構成し、アッパーシート２４ａとライナーシート２４ｂの間に開口部伸縮材２８ａ，２８ｂを挟みこむように配置することが好ましい。このような配置方法を採用すると、必要最小限の伸縮材によりスキンコンタクトシートに伸縮力を付与することができるため好ましい。
【００４１】
本実施の形態の使い捨ておむつにおいては、スキンコンタクトシートとトップシートとの間の空間を、尿通過用開口部に連通する空間と便通過用開口部に連通する空間とに区画する、分離壁を設けることが好ましい。尿と便とが混ざるとアンモニアが発生し、このアンモニアが環境をアルカリ性にし、便中の酵素がアルカリ性雰囲気で強く活性化され、この酵素及びアンモニアによって皮膚の弱った部分が炎症を起こし、おむつかぶれが発生することが報告されている（山本一哉、皮膚臨床３０、９４９〜９５６頁（１９９８年））。前記のような分離壁を設けることによって、着用者の排泄した尿を便と分離した状態で吸収・保持させることが可能となるため、尿と便が混ざり難くなり、おむつかぶれを効果的に防止することができる。
【００４２】
スキンコンタクトシートの固定方法としては、（１）トップシート１８（ないしはバックシート２０）の表面にスキンコンタクトシート２４を固定する方法や、（２）立体ギャザーを備える場合には、立体ギャザーの内側の面にスキンコンタクトシート２４を固定する方法等を挙げることができる。
【００４３】
［１−２］吸収体：
吸収体は、着用者の尿を吸収し、保持するための部材である。吸収体は、着用者の尿や体液を吸収し保持する必要から、吸収性材料によって構成される。
【００４４】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。
【００４５】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００４６】
吸収体は、トップシートとバックシートの間の少なくとも一部に介装されることが必要である。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００４７】
吸収体は、その全体が親水性シートによって包み込まれていることが好ましい。このような構成は、吸収体からＳＡＰが漏洩することを防止し、吸収体に形状安定性を付与することができるという利点がある。
【００４８】
吸収体の形状については特に制限はないが、従来の使い捨ておむつ、その他の吸収性物品において使用される形状、例えば、矩形状、砂時計型、ひょうたん型、Ｔ字型等を挙げることができる。
【００４９】
［１−３］トップシート：
トップシートは、吸収体の上面（おむつの装着時において着用者の肌側に位置する面）を被覆するように配置されるシートである。トップシートは、その下面側に配置された吸収体に、着用者の尿を吸収させる必要から、その少なくとも一部（全部ないし一部）が液透過性材料により構成される。
【００５０】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００５１】
トップシートは単一のシート材によって構成されていてもよいが、複数のシート材によって構成されていてもよい。例えば、テープ型おむつの場合には、おむつの中央部には液透過性材料からなるトップシート（センターシート）を配置し、おむつのサイドフラップ部分には撥水性材料からなるトップシート（サイドシート）を配置する形態がよく利用される。
【００５２】
［１−４］バックシート：
バックシートは、吸収体の下面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００５３】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００５４】
なお、バックシートには、その外表面側にシート材（カバーシート）を貼り合わせてもよい。このカバーシートは、バックシートを補強し、バックシートの手触り（触感）を良好なものとするために用いられる。
【００５５】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００５６】
［１−５］吸収性本体：
２ピースタイプのパンツ型おむつにおいては、トップシート、バックシート及び吸収体を、吸収・保持機能を担う「吸収性本体」という一つの部材として構成し、これとは別個に製造された外装部材と接合することにより使い捨ておむつを構成する。この吸収性本体は、生理用ナプキン等と同様に、吸収体の上面側にトップシート、下面側にバックシートが配置されたものであり、トップシートとバックシートとの間に吸収体が介装された構造となっている。例えば、図１〜図３に示す使い捨ておむつ１は、トップシート１８とバックシート２０の間に吸収体２２を挟みこみ、吸収体２２の周縁部を封着することによって、トップシート１８とバックシート２０との間に吸収体２２が介装された構造の吸収性本体１４を構成した例である。
【００５７】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。吸収性本体は、例えばホットメルト接着剤等を用いて、外装部材に対して固定することができる。
【００５８】
［１−６］外装部材：
外装部材は、着用者の身体を被包するための装着機能を担う部材であり、具体的には、前身頃、股下部及び後身頃の各部を形成するシート状の部材である。
【００５９】
２ピースタイプのパンツ型おむつでは、着用者の排泄物を吸収し、保持する吸収・保持機能については、専ら吸収性本体が果たすことになるので、外装部材を構成する材料として液不透過性材料を用いる必要はない。外装部材を構成する材料としては、例えば、ポリエチレン、ポリプロピレン、ポリエステル、その他の熱可塑性樹脂からなる合成繊維によって構成された不織布等を挙げることができる。
【００６０】
そして、外装部材は、脚周り伸縮材等を挟み込んだ状態で固定するために、２枚以上の不織布を貼り合わせて構成されることが多い。例えば、図１〜図３に示す使い捨ておむつ１は、外装部材１６を２枚の不織布から構成し、その２枚の不織布の間に脚周り伸縮材４０、ウエスト周り伸縮材４２及び腹周り伸縮材４４を挟み込み固定した例である。
【００６１】
［１−７］各種伸縮材：
パンツ型の使い捨ておむつにおいては、脚周り伸縮材を配置し、ウエスト周り伸縮材を配置することが一般的であり、更に腹周り伸縮材を配置することが好ましい。
【００６２】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００６３】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００６４】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００６５】
なお、図１〜図３に示す使い捨ておむつ１は、脚周り開口部１２ａ，１２ｂの周縁には複数本の脚周り伸縮材４０を配置し、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。
【００６６】
これらの伸縮材については、既に述べた開口部伸縮材と同様の構成を採用することができる。そして、ギャザーの収縮の程度等を勘案した上で、構成材料、その材料の伸長率、固定時の伸長状態等を決定すればよい。
【００６７】
［１−８］立体ギャザー：
着用者の排泄した尿の横漏れを防止するため、立体ギャザーを有してもよい。立体ギャザーは、着用者の排泄した尿の横漏れを防止するための部材であり、立体的に起立可能なように構成された防漏壁である。立体ギャザーを形成することにより、スキンコンタクトシートの上に尿が排泄され、スキンコンタクトシートを伝って尿が拡散してしまった場合でも、立体ギャザーが防波堤となり、おむつの脚周り開口部等からの漏れ（いわゆる「横漏れ」）を有効に防止することができる。
【００６８】
立体ギャザーの構成は、従来の使い捨ておむつ、その他の吸収性物品に使用される構成を採用することができる。例えば、シート材の一部に伸縮材（立体ギャザー伸縮材）を配置し、その立体ギャザー伸縮材によってシート材にギャザー（襞）を形成したもの等を好適に用いることができる。
【００６９】
［２］製造方法：
以下、本発明の使い捨ておむつを製造する方法の一例を、図１〜図３に示す使い捨ておむつ１（２ピースタイプのパンツ型おむつ）を製造する場合の例により説明する。
【００７０】
［２−１］吸収性本体の製造：
バックシート２０の上面に、親水性シートに包まれた吸収体２２を配置し、更にその上面にトップシート１８を配置する。次いで、吸収体２２の周縁部をトップシート１８とバックシート２０とで挟み込むように封着することによって吸収性本体１４を得る。
【００７１】
［２−２］スキンコンタクトシートの製造：
ライナーシート２４ｂの上面に、２本の開口部伸縮材２８ａ，２８ｂを所定のパターンに配置しつつ、アッパーシート２４ａを貼り合わせる。このアッパーシート２４ａは、ライナーシート２４ｂの中央部のみを被覆し、ライナーシート２４ｂの両側縁部が露出する大きさに構成されている。また、図４に示すように、２本の開口部伸縮材２８ａ，２８ｂは、後に形成される尿通過用開口部２６ａ及び便通過用開口部２６ｂの間の点で交差し、尿通過用開口部２６ａ及び便通過用開口部２６ｂの周縁の一部を取り囲むようなパターンに配置する。
【００７２】
次いで、貼り合わされたライナーシート２４ｂとアッパーシート２４ａに、尿通過用開口部２６ａ及び便通過用開口部２６ｂを形成する。こうすることによって、２本の開口部伸縮材２８ａ，２８ｂが尿通過用開口部２６ａ及び便通過用開口部２６ｂの間の点で交差し、尿通過用開口部２６ａ及び便通過用開口部２６ｂの周縁の一部を取り囲むようなパターンに配置された２層構造のスキンコンタクトシート２４を得る。
【００７３】
［２−３］吸収性本体へのスキンコンタクトシートの付設：
吸収性本体１４を構成するトップシート１８の表面に、スキンコンタクトシート２４を貼り合わせる。
【００７４】
［２−４］外装部材の製造：
まず、外装部材１６となる不織布を２枚用意し、このうちの１枚の不織布の上面に、ウエスト周り伸縮材４２、腹周り伸縮材４４及び脚周り伸縮材４０を配置し接着固定する。そして、この上面に、更にもう１枚の不織布を積層し固定することにより、２枚の不織布の間に、ウエスト周り伸縮材４２、腹周り伸縮材４４及び脚周り伸縮材４０が介装された、外装部材１６を得る。
【００７５】
［２−５］使い捨ておむつの製造：
外装部材１６の股下部近傍に、吸収性本体１４を配置し固定する。次いで、吸収性本体１４を内側にして、前身頃２と後身頃６とを合わせるように二つ折りにし、前身頃２と後身頃６とをヒートシール等の手段により接合し、接合部８を形成することによって、図１〜図３に示す使い捨ておむつ１を製造することができる。
【００７６】
前記のような一連の工程は、機械的な手段によって連続的に行うことが可能である。例えば、長尺のシート材や伸縮材をローラーから連続的に送出する等の方法・装置を採用することにより、使い捨ておむつの連続製造が可能となり、生産性の向上に資する。
【００７７】
［３］本発明の適用対象：
本発明の使い捨ておむつの適用対象は、前記２ピースタイプのパンツ型おむつに限られるものではなく、例えば、１ピースタイプのパンツ型おむつやテープ型おむつにも適用することができる。即ち、これらの使い捨ておむつにおいても、トップシートの表面よりも上部に、２つの開口部が形成され所定の開口部伸縮材が配設されたスキンコンタクトシートを配置することにより、本発明の使い捨ておむつの効果を享受することができる。
【００７８】
なお、「１ピースタイプ」とは、２ピースタイプと同様に、トップシート、バックシート、吸収体を備えているが、吸収・保持機能を担う吸収体がトップシートとバックシートの間に介装（内蔵）され、装着機能を担うトップシート及び／又はバックシートと一体的に構成されたタイプのおむつを意味するものとする。
【００７９】
また、「テープ型おむつ」とは、トップシートと、バックシートと、両シートの間の少なくとも一部に介装された吸収体と、装着用のテープファスナーとを備え、テープファスナーによっておむつの前身頃と後身頃とを相互に固定し得る使い捨ておむつを意味するものとする。「テープ型おむつ」にも、パンツ型おむつと同様に「１ピースタイプ」と「２ピースタイプ」が存在するが、本発明の使い捨ておむつはいずれのタイプのテープ型おむつにも適用可能である。
【００８０】
（ＩＩ：本発明の第２の態様）
次に本発明の第２の態様の実施形態について、第１の態様の説明と同様に、図１〜図７を使用して説明する。
【００８１】
本発明の使い捨ておむつの構成：
本発明の使い捨ておむつは、上記第１の発明と同様に、図１〜図３に示す使い捨ておむつ１のように、吸収体２２と、吸収体２２の上面を被覆するように配置され、少なくとも一部が液透過性材料からなるトップシート１８と、吸収体２２の下面を被覆するように配置され、液不透過性材料からなるバックシート２０とを備え、前身頃２、股下部４及び後身頃６から構成された使い捨ておむつ１であり、トップシート１８の上部に配置されるスキンコンタクトシート（ＳＣＳ）２４を更に備えたものである。そして、スキンコンタクトシート２４は、図２及び図４に示すように、股下部４に相当する部分に、尿を通過させ得る尿通過用開口部２６ａ及び便を通過させ得る便通過用開口部２６ｂを有する。スキンコンタクトシート２４は、２つの開口部２６（２６ａ，２６ｂ）に挟まれた幅方向に伸びる帯状の領域（開口部間領域）２９を開口部間の長さ（距離）２９ａの半分の長さだけ前後に延長した領域（ＳＣＳ中央領域）３０、ＳＣＳ中央領域３０より腹側に位置するＳＣＳ腹側領域３２、及び背側に位置するＳＣＳ背側領域３４から構成される。そして、スキンコンタクトシート２４には、伸縮弾性材（開口部伸縮材）２８が配設され、第２の態様においては、その伸縮弾性材２８の、ＳＣＳ中央領域３０における幅方向成分（長さ）の合計をＳＣＳ中央領域３０の長手方向長さＬ１で除した値が、ＳＣＳ腹側領域３２における幅方向成分（長さ）の合計をＳＣＳ腹側領域３２の長手方向長さＬ２で除した値より大きく、かつ、ＳＣＳ背側領域３４における幅方向成分（長さ）の合計をＳＣＳ背側領域の長手方向長さＬ３で除した値より大きいものである。ここで、２つの開口部２６は、スキンコンタクトシート２４の長手方向に並ぶように形成され、尿通過用開口部２６ａは、着用者におむつを装着した際に、着用者の腹側（前側）に位置する開口部であり、便通過用開口部２６ｂは、着用者の背側（後側）に位置する開口部である。
【００８２】
このように、ＳＣＳ中央領域３０における伸縮弾性材の幅方向成分（長さ）の合計をＳＣＳ中央領域３０の長手方向長さＬ１で除した値が、ＳＣＳ腹側領域３２における伸縮弾性材の幅方向成分（長さ）の合計をＳＣＳ腹側領域３２の長手方向長さＬ２で除した値より大きく、かつ、ＳＣＳ背側領域３４における伸縮弾性材の幅方向成分（長さ）の合計をＳＣＳ背側領域の長手方向長さＬ３で除した値より大きいものであるため、ＳＣＳ中央領域における幅方向の伸縮力が、ＳＣＳ腹側領域及びＳＣＳ背側領域のそれぞれにおける幅方向の伸縮力より大きくすることが可能となる。これにより、使い捨ておむつ１を着用者に装着したときにスキンコンタクトシート２４の２つの開口部２６（尿通過用開口部２６ａと便通過用開口部２６ｂ）の間に位置するＳＣＳ中央領域３０が弛むことなく着用者に密着するので、尿や便が開口部を確実に通過してトップシート上に落下し、尿や便がスキンコンタクトシート上に留まることを有効に防止することが可能となる。
【００８３】
スキンコンタクトシート：
第２の態様においては、図４に示すように、２本の開口部伸縮材２８ａ、２８ｂをＳＣＳ中央領域３０で、すなわち、２つの開口部２６ａ、２６ｂの間において交点Ｐ１で交差させることにより、ＳＣＳ中央領域３０の幅方向成分を大きくしている。開口部伸縮材２８ａの、ＳＣＳ中央領域３０における幅方向成分（長さ）Ｈ１は、ＳＣＳ中央領域３０とＳＣＳ背側領域３４との境界線と、開口部伸縮材２８ａとの交点Ｐ２から、ＳＣＳ中央領域３０とＳＣＳ腹側領域３２との境界線と、開口部伸縮材２８ａとの交点Ｐ３までの、幅方向における距離である。そして、開口部伸縮材２８ｂの、ＳＣＳ中央領域３０における幅方向成分（長さ）についても同様に、開口部伸縮材２８ｂと上記２つの境界線との交点間の幅方向における距離である。従って、２本の開口部伸縮材２８ａ、２８ｂの、ＳＣＳ中央領域３０における幅方向成分（長さ）の合計というときは、上記開口部伸縮材２８ａのＳＣＳ中央領域３０における幅方向成分（長さ）Ｈ１と、上記開口部伸縮材２８ｂのＳＣＳ中央領域３０における幅方向成分（長さ）との合計の長さ（中央領域幅合計）をいう。
【００８４】
また、図４に示すように、開口部伸縮材２８ａの、ＳＣＳ腹側領域３２における幅方向成分（長さ）Ｈ２は、ＳＣＳ中央領域３０とＳＣＳ腹側領域３２との境界線と、開口部伸縮材２８ａとの交点Ｐ３から、ＳＣＳ腹側領域３２における開口部伸縮材２８ａの最もＳＣＳ側縁部３６ａに近い点Ｐ４までの、幅方向における距離である。そして、開口部伸縮材２８ｂの、ＳＣＳ腹側領域３２における幅方向成分（長さ）についても同様に、開口部伸縮材２８ｂの、ＳＣＳ中央領域３０とＳＣＳ腹側領域３２との境界線と、開口部伸縮材２８ｂとの交点から、ＳＣＳ腹側領域３２における開口部伸縮材２８ｂの最もＳＣＳ側縁部３６ｂに近い点までの、幅方向における距離である。従って、２本の開口部伸縮材２８ａ、２８ｂの、ＳＣＳ腹側領域３２における幅方向成分（長さ）の合計というときは、上記開口部伸縮材２８ａのＳＣＳ腹側領域３２における幅方向成分（長さ）Ｈ２と、上記開口部伸縮材２８ｂのＳＣＳ腹側領域３２における幅方向成分（長さ）との合計の長さ（腹側領域幅合計）をいう。
【００８５】
また、２本の開口部伸縮材２８ａ、２８ｂの、ＳＣＳ背側領域３４における幅方向成分（長さ）の合計というときは、上記ＳＣＳ腹側領域３２における場合と同様に、上記開口部伸縮材２８ａのＳＣＳ背側領域３４における幅方向成分（長さ）Ｈ３と、上記開口部伸縮材２８ｂのＳＣＳ背側領域３４における幅方向成分（長さ）との合計の長さ（背側領域幅合計）をいう。
【００８６】
そして、第２の態様の使い捨ておむつにおいては、スキンコンタクトシート２４の上記中央領域幅合計をＳＣＳ中央領域３０の長手方向長さＬ１で除した値が、上記腹側領域幅合計をＳＣＳ腹側領域３２の長手方向長さＬ２で除した値より大きく、かつ、上記背側領域幅合計をＳＣＳ背側領域３４の長手方向長さＬ３で除した値より大きいものである。このように形成することにより、ＳＣＳ中央領域３０の幅方向伸縮力を、ＳＣＳ腹側領域３２の幅方向伸縮力及びＳＣＳ背側領域３４の幅方向伸縮力のいずれよりもより大きくすることが可能となり、ＳＣＳ中央領域３０を弛むことなく着用者に密着させることが可能となる。
【００８７】
第２の態様の使い捨ておむつにおいて、スキンコンタクトシートの開口部伸縮材の配置パターンとしては、上記パターンが好ましいが、上記中央領域幅合計をＳＣＳ中央領域３０の長手方向長さＬ１で除した値が、上記腹側領域幅合計をＳＣＳ腹側領域３２の長手方向長さＬ２で除した値より大きく、かつ、上記背側領域幅合計をＳＣＳ背側領域３４の長手方向長さＬ３で除した値より大きいものであれば特に限定されるものではない。例えば、図５に示すように、２つの開口部（尿通過用開口部２６ａと便通過用開口部２６ｂ）の間に開口部伸縮材が存在しない領域３１が形成されてもよい。この、開口部伸縮材が存在しない領域３１は、２つの開口部間に渡って帯状に伸びるように配置された領域であり、幅方向長さは開口部の最大幅（幅方向長さの最大値）に対して、１０〜１００％が好ましく、少なくともその中央領域においては非伸縮領域であることが好ましい。このような開口部伸縮材が存在しない領域３１は、４本の開口部伸縮材を、２つの開口部（尿通過用開口部２６ａと便通過用開口部２６ｂ）の間で連結されないようにそれぞれ配設して形成してもよいし、図４のように２本の開口部伸縮材を配設した後に、交点Ｐ１の部分で切断してスナップバックすることにより形成してもよい。この場合、ＳＣＳ中央領域における幅方向成分の合計は、開口部伸縮材２８ｃのＳＣＳ中央領域３０における幅方向成分（長さ）Ｈ１１、開口部伸縮材２８ｄのＳＣＳ中央領域３０における幅方向成分（長さ）Ｈ１２、開口部伸縮材２８ｅのＳＣＳ中央領域３０における幅方向成分（長さ）、及び開口部伸縮材２８ｆのＳＣＳ中央領域３０における幅方向成分（長さ）の合計である。
【００８８】
また、例えば、図６に示すように、更に、幅方向に伸びる２本の開口部伸縮材２８（２８ｇ、２８ｈ）を、上記図５に示すスキンコンタクトシート２４に形成された開口部伸縮材を有さない領域の、幅方向両側に配設してもよい。この開口部伸縮材は、２つの開口部（尿通過用開口部２６ａと便通過用開口部２６ｂ）の間の中央線に沿うように配設することが好ましい。
【００８９】
また、例えば、図７に示すように、２本の開口部伸縮材を交差させずに、２本の長手方向に伸びる開口部伸縮材２８（２８ｉ，２８ｊ）で、２つの開口部（尿通過用開口部２６ａと便通過用開口部２６ｂ）を、その両側縁部側から挟むように配設してもよい。このとき、ＳＣＳ中央領域３０の幅方向成分を大きくするために、２本の開口部伸縮材をＳＣＳ中央領域３０でそれぞれ幅方向中央部側（互いに近寄る方向）に湾曲させて配設することが好ましい。また、この場合も、更に、幅方向に伸びる２本の開口部伸縮材２８（２８ｇ，２８ｈ）を、上記湾曲させた箇所の幅方向両外側の位置に配設してもよい。
【００９０】
第２の態様の使い捨ておむつにおけるスキンコンタクトシートのその他の構成は、上述した第１の態様におけるスキンコンタクトシートの構成と同様であることが好ましい。それにより同様の効果を得ることができる。
【００９１】
第２の態様の使い捨ておむつにおいては、上述したスキンコンタクトシート以外のトップシート、バックシート等の構成については、上述した第１の態様の使い捨ておむつにおける各構成と同様であることが好ましい。それにより同様の効果を得ることができる。また、第２の態様の使い捨ておむつの製造方法も、上述した第１の態様の使い捨ておむつの製造方法と同様であることが好ましい。
【産業上の利用可能性】
【００９２】
本発明の使い捨ておむつは、乳幼児用、或いは介護を必要とする高齢者や障害者等の成人用のおむつとして好適に利用することができる。そして、本発明の使い捨ておむつは、排泄された便が着用者の肌と直接接触し難いので、肌が弱くスキントラブルが多い、乳幼児用の使い捨ておむつとして特に好適に用いることができる。
【図面の簡単な説明】
【００９３】
【図１】本発明の使い捨ておむつの一の実施形態を示す概略斜視図であり、おむつの前方から見た状態を示す概略斜視図である。
【図２】本発明の使い捨ておむつの一の実施形態を示す平面図であり、図１に示す使い捨ておむつを展開し、おむつの吸収性本体側から見た状態を示す平面図である。
【図３】本発明の使い捨ておむつの一の実施形態を示す概略断面図であり、図２に示す使い捨ておむつをＸ−Ｘ’線に沿って切断した断面を示す概略断面図である。
【図４】本発明の使い捨ておむつの一の実施形態に使用されるスキンコンタクトシートを示す概略平面図である。
【図５】本発明の使い捨ておむつの他の実施形態に使用されるスキンコンタクトシートを示す概略平面図である。
【図６】本発明の使い捨ておむつの他の実施形態に使用されるスキンコンタクトシートを示す概略平面図である。
【図７】本発明の使い捨ておむつの他の実施形態に使用されるスキンコンタクトシートを示す概略平面図である。
【符号の説明】
【００９４】
１：使い捨ておむつ、２：前身頃、２ａ，２ｂ：側縁部、４：股下部、６：後身頃、６ａ，６ｂ：側縁部、８：接合部、１０：ウエスト周り開口部、１２，１２ａ，１２ｂ：脚周り開口部、１４：吸収性本体、１６：外装部材、１８：トップシート、２０：バックシート、２２：吸収体、２４：スキンコンタクトシート、２４ａ：アッパーシート、２４ｂ：ライナーシート、２６：開口部、２６ａ：尿通過用開口部、２６ｂ：便通過用開口部、２８，２８ａ，２８ｂ，２８ｃ，２８ｄ，２８ｅ，２８ｆ，２８ｇ，２８ｈ，２８ｉ，２８ｊ：開口部伸縮材、２９：開口部間領域、２９ａ：開口部間の距離、３０：ＳＣＳ中央領域、３１：開口部伸縮材が存在しない領域、３２：ＳＣＳ腹側領域、３４：ＳＣＳ背側領域、３６ａ，３６ｂ：ＳＣＳ側縁部、４０：脚周り伸縮材、４２：ウエスト周り伸縮材、４４：腹周り伸縮材、Ｈ１，Ｈ２，Ｈ３，Ｈ１１，Ｈ１２：伸縮弾性材の幅方向成分、Ｐ１，Ｐ２，Ｐ３：交点、Ｐ４：伸縮弾性材のＳＣＳ側縁部に最も近い点、Ｌ１，Ｌ２，Ｌ３：長手方向長さ。
【図１】
2007105298.tif 000003
【図２】
2007105298.tif 000004
【図３】
2007105298.tif 000005
【図４】
2007105298.tif 000006
【図５】
2007105298.tif 000007
【図６】
2007105298.tif 000008
【図７】
2007105298.tif 000009
【手続補正書】
【提出日】平成18年8月15日(2006.8.15)
【手続補正１】
【補正対象書類名】特許請求の範囲
【補正対象項目名】全文
【補正方法】変更
【補正の内容】
【特許請求の範囲】
【請求項１】
吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、
前記トップシートの上部に配置されるスキンコンタクトシート（ＳＣＳ）を更に備え、
前記スキンコンタクトシートが、前記股下部に相当する部分に、便を通過させ得る便通過用開口部及び尿を通過させ得る尿通過用開口部を有するとともに、
前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、
前記ＳＣＳ中央領域における幅方向の伸縮力が、前記ＳＣＳ腹側領域及び前記ＳＣＳ背側領域のそれぞれにおける幅方向の伸縮力より大きい使い捨ておむつ。
【請求項２】
前記ＳＣＳ中央領域における幅方向の伸縮力が、前記ＳＣＳ腹側領域及び前記ＳＣＳ背側領域のそれぞれにおける幅方向の伸縮力の１．１〜５倍である請求項１に記載の使い捨ておむつ。
【請求項３】
吸収体と、前記吸収体の上面を被覆するように配置され、少なくとも一部が液透過性材料からなるトップシートと、前記吸収体の下面を被覆するように配置され、液不透過性材料からなるバックシートとを備え、前身頃、股下部及び後身頃から構成された使い捨ておむつであって、
前記トップシートの上部に配置されるスキンコンタクトシート（ＳＣＳ）を更に備え、
前記スキンコンタクトシートが、前記股下部に相当する部分に、便を通過させ得る便通過用開口部及び尿を通過させ得る尿通過用開口部を有するとともに、
前記２つの開口部に挟まれた幅方向に伸びる帯状の領域（開口部間領域）を開口部間の長さの半分の長さだけ前後に延長した領域（ＳＣＳ中央領域）、前記ＳＣＳ中央領域より腹側に位置するＳＣＳ腹側領域及び背側に位置するＳＣＳ背側領域から構成され、
前記スキンコンタクトシートに、伸縮弾性材が配設され、
前記伸縮弾性材の、前記ＳＣＳ中央領域における幅方向成分（長さ）の合計をＳＣＳ中央領域の長手方向長さで除した値が、前記ＳＣＳ腹側領域における幅方向成分（長さ）の合計をＳＣＳ腹側領域の長手方向長さで除した値より大きく、かつ、前記ＳＣＳ背側領域における幅方向成分（長さ）の合計をＳＣＳ背側領域の長手方向長さで除した値より大きい使い捨ておむつ。
【請求項４】
前記スキンコンタクトシートが、前記ＳＣＳ中央領域において交差するとともに、前記ＳＣＳ腹側領域及び前記ＳＣＳ背側領域のそれぞれにおいて前記開口部を挟んで長手方向に伸びる伸縮弾性材を有する請求項１〜３のいずれか一項に記載の使い捨ておむつ。
【手続補正２】
【補正対象書類名】明細書
【補正対象項目名】００１３
【補正方法】変更
【補正の内容】
【００１３】
［４］  前記スキンコンタクトシートが、前記ＳＣＳ中央領域において交差するとともに、前記ＳＣＳ腹側領域及び前記ＳＣＳ背側領域のそれぞれにおいて前記開口部を挟んで長手方向に伸びる伸縮弾性材を有する［１］〜［３］のいずれかに記載の使い捨ておむつ。